(57)【要約】【課題】ライブコンテンツの進行を管理するサーバ装置等を提供する。【解決手段】  サーバ装置１００は、配信者端末及び視聴者端末と通信する通信部１１０と、予定表を記憶する記憶部１２０と、制御部１４０とを備える。配信者端末は、ライブコンテンツの配信者によって使用される。視聴者端末は、ライブコンテンツの視聴者によって使用される。予定表は、コンテンツの内容を時系列で示す。制御部１４０は、予定表に基づいて、配信者端末にライブコンテンツの進行状況に応じた情報を表示させる。【選択図】図２
2019047483.tif 000002
【特許請求の範囲】
【請求項１】
ライブコンテンツの配信者によって使用される配信者端末と通信する通信部と、
コンテンツの内容を時系列で示す予定表を記憶する記憶部と、
前記予定表に基づいて、前記配信者端末に前記ライブコンテンツの進行状況に応じた情報を表示させる制御部と、
を備えることを特徴とするサーバ装置。
【請求項２】
前記記憶部は、それぞれ内容が異なる複数の前記予定表を記憶し、
前記制御部は、前記複数の予定表から選択されたいずれか一つの予定表に基づいて、前記配信者端末に、前記ライブコンテンツの進行状況に応じた情報を表示させる、
ことを特徴とする請求項１に記載のサーバ装置。
【請求項３】
前記制御部は、前記複数の予定表のそれぞれの利用実績を示す実績情報を前記配信者端末に表示させ、
前記実績情報は、前記予定表が利用された回数と、前記予定表を利用して作成されたコンテンツ名と、前記予定表を利用した配信者名とのいずれか一つ以上を含む、
ことを特徴とする請求項２に記載のサーバ装置。
【請求項４】
前記ライブコンテンツの進行状況に応じた情報は、コンテンツの切り替わりタイミングと次のコンテンツの内容とを示す切替情報を含む、
ことを特徴とする請求項１から３のいずれか1項に記載のサーバ装置。
【請求項５】
前記ライブコンテンツの進行状況に応じた情報は、前記予定表に対する前記ライブコンテンツの進行状況を示す進捗情報を含む、
ことを特徴とする請求項１から４のいずれか1項に記載のサーバ装置。
【請求項６】
前記制御部は、前記ライブコンテンツの進行中において前記予定表に基づくタイミングで、前記配信者端末に、前記ライブコンテンツの視聴者に対する予め定められたアンケートの収集画面を表示させる、
ことを特徴とする請求項１から５のいずれか1項に記載のサーバ装置。
【請求項７】
前記制御部は、前記ライブコンテンツの進行中において前記予定表に基づくタイミングで、前記ライブコンテンツの視聴者によって使用される視聴者端末に、前記コンテンツの切り替わりタイミングと次のコンテンツの内容とを示す切替情報を表示させる、
ことを特徴とする請求項６に記載のサーバ装置。
【請求項８】
前記制御部は、前記ライブコンテンツの進行中において前記予定表に基づくタイミングで、前記視聴者端末に、予め定められたアンケートの受付画面を表示させる、
ことを特徴とする請求項６又は７に記載のサーバ装置。
【請求項９】
前記制御部は、前記視聴者端末に、前記予定表に対する前記ライブコンテンツの進行状況を示す進捗情報を表示させる、
ことを特徴とする請求項６から８のいずれか1項に記載のサーバ装置。
【請求項１０】
前記予定表は、前記配信者端末に入力された指示に応じて作成されたものである、
ことを特徴とする請求項１から８のいずれか1項に記載のサーバ装置。
【請求項１１】
前記制御部は、前記ライブコンテンツの進行中において、前記視聴者端末から収集した変更要求に基づいて、前記予定表の以後の部分を変更する、
ことを特徴とする請求項６から９のいずれか1項に記載のサーバ装置。
【請求項１２】
前記制御部は、
前記ライブコンテンツの進行中において、前記視聴者端末に、前記予定表の複数の更新案のいずれか一つを選択する指示を受け付ける選択画面を表示させ、該視聴者端末が受け付けた指示を前記変更要求として受信し、該視聴者端末から収集した前記変更要求の多数決又は少数決に基づいて前記予定表の以後の部分を変更する、
ことを特徴とする請求項１１に記載のサーバ装置。
【請求項１３】
前記記憶部が記憶している予定表又は前記変更要求に基づいて変更された予定表は、他の前記配信者又は前記視聴者にも利用可能に提供される、
ことを特徴とする請求項１１又は１２に記載のサーバ装置。
【請求項１４】
ライブコンテンツの配信者によって使用される配信者端末と、
コンテンツの内容を時系列で示す予定表を記憶するサーバ装置と、
を備え、
前記配信者端末は、前記予定表に基づいて、前記ライブコンテンツの進行状況に応じた情報を表示する、
ことを特徴とするコンテンツ進行管理システム。
【請求項１５】
配信されるライブコンテンツの進行を管理するコンテンツ進行管理方法であって、
サーバ装置が、コンテンツの内容を時系列で示す予定表を記憶する記憶ステップと、
前記ライブコンテンツの配信者によって使用される配信者端末が、前記予定表に基づいて、前記ライブコンテンツの進行状況に応じた情報を表示する表示ステップと、
を含むことを特徴とするコンテンツ進行管理方法。
【請求項１６】
コンピュータを、
コンテンツの内容を時系列で示す予定表を記憶する記憶手段、
前記予定表に基づいて、配信されるライブコンテンツの進行状況に応じた情報を表示する表示手段、
として機能させるためのプログラム。
【発明の詳細な説明】
【技術分野】
【０００１】
本開示は、サーバ装置、コンテンツ進行管理システム、コンテンツ進行管理方法及びプログラムに関する。
【背景技術】
【０００２】
近年、ライブコンテンツを、ネットワークを介して配信するサービスが一般化している。このようなライブコンテンツは、テレビやラジオ等の放送事業者ではない一般人によって配信されることも多い。なお、かかるライブコンテンツは、インターネット生放送とも称される。
【０００３】
ライブコンテンツを配信する場合、適切にコンテンツの進行を管理しなければ、内容が間延びしたり、時間調整に失敗したりする等の問題が生じる。そのため、良質なライブコンテンツを配信するためには、進行の管理が必要である。しかし、一般人がライブコンテンツを配信する場合、コンテンツの進行を管理する者が存在しないことが多い。この点に鑑み、台本を使用してコンテンツの進行を管理することが考えられる。
【０００４】
特許文献１には、配信メディアで配信するコンテンツを制作するための台本を作成することが開示されている。この台本は、コンテンツを構成する要素と、その属性を示すメタデータとを対応付けて記述した情報である。
【０００５】
特許文献２には、番組を制作する番組制作端末と、番組制作端末とネットワークで接続され、番組に関する情報を管理する番組制作管理サーバとからなる番組制作システムが開示されている。この番組制作システムによれば、番組制作端末は、素材データ及び演出内容を示すテキストデータ（台本）に基づいて番組を制作し、番組制作管理サーバにアップロードする。
【先行技術文献】
【特許文献】
【０００６】
【特許文献１】特開２０００−２５９６３９号公報
【特許文献２】特開２００５−３１８２５４号公報
【発明の概要】
【発明が解決しようとする課題】
【０００７】
特許文献１、２に開示されている台本は、放送事業者によって使用されるものであり、一般人の使用には適していない。また、これらの台本は、コンテンツを構成する素材を時系列で関連付けるものである。そのため、コンテンツが進行していく過程で、その進行の管理を行うというライブコンテンツ特有の問題を解決するものではない。
【０００８】
そこで、本開示はこのような事情に鑑み、ライブコンテンツの進行を管理するサーバ装置等を提供することを目的とする。
【課題を解決するための手段】
【０００９】
上記目的を達成するため、本開示の第１の観点に係るサーバ装置は、ライブコンテンツの配信者によって使用される配信者端末と通信する通信部と、コンテンツの内容を時系列で示す予定表を記憶する記憶部と、予定表に基づいて、配信者端末にライブコンテンツの進行状況に応じた情報を表示させる制御部とを備えることを特徴とする。
【００１０】
また、上記目的を達成するため、本開示の第２の観点に係るコンテンツ進行管理システムは、ライブコンテンツの配信者によって使用される配信者端末と、コンテンツの内容を時系列で示す予定表を記憶するサーバ装置とを備え、配信者端末は、予定表に基づいて、ライブコンテンツの進行状況に応じた情報を表示することを特徴とする。
【００１１】
また、上記目的を達成するため、本開示の第３の観点に係るコンテンツ進行管理方法は、配信されるライブコンテンツの進行を管理するコンテンツ進行管理方法であって、サーバ装置が、コンテンツの内容を時系列で示す予定表を記憶する記憶ステップと、ライブコンテンツの配信者によって使用される配信者端末が、予定表に基づいて、ライブコンテンツの進行状況に応じた情報を表示する表示ステップとを含むことを特徴とする。
【００１２】
また、上記目的を達成するため、本開示の第４の観点に係るプログラムは、コンピュータを、コンテンツの内容を時系列で示す予定表を記憶する記憶手段、予定表に基づいて、配信されるライブコンテンツの進行状況に応じた情報を表示する表示手段、として機能させる。
【発明の効果】
【００１３】
本開示によれば、ライブコンテンツの進行を管理することができる。
【図面の簡単な説明】
【００１４】
【図１】第１実施形態に係るコンテンツ進行管理システムの構成例を示す図である。
【図２】第１実施形態に係るサーバ装置の構成例を示すブロック図である。
【図３】予定表の内容の一例を示す図である。
【図４】実績情報を示すテーブルの一例を示す図である。
【図５】第１実施形態に係る配信者端末の構成例を示すブロック図である。
【図６】第１実施形態に係る配信者端末に表示される画面の一例を示す図である。
【図７】第１実施形態に係る視聴者端末の構成例を示すブロック図である。
【図８】第１実施形態に係るサーバ装置が実行する制御処理の一例を示すフローチャートである。
【図９】第２実施形態に係るコンテンツ進行管理システムの構成例を示す図である。
【図１０】第２実施形態に係るサーバ装置の構成例を示すブロック図である。
【図１１】第２実施形態に係る視聴者端末の構成例を示すブロック図である。
【図１２】予定表の内容の変更例を示す図である。
【図１３】第２実施形態に係る視聴者端末に表示される画面の一例を示す図である。
【発明を実施するための形態】
【００１５】
以下、本開示の実施形態について図面を参照して説明する。なお、以下に説明する実施形態は、特許請求の範囲に記載された本開示の内容を不当に限定するものではない。また、実施形態において説明される構成要素のすべてが、必須の構成要素であるとは限らない。
【００１６】
（第１実施形態）
図１に示すように、本実施形態に係るコンテンツ進行管理システム１は、サーバ装置１００と、一台以上の配信者端末２００と、一台以上の視聴者端末３００とを備える。サーバ装置１００と、配信者端末２００と、視聴者端末３００とは、それぞれネットワークＮＷを介して通信可能に接続される。ネットワークＮＷは、例えば、ＷＡＮ（World Area Network）である。
【００１７】
サーバ装置１００は、ネットワークＮＷを介して配信サービスを提供するサーバ装置である。サーバ装置１００は、配信者端末２００からの受信データに基づいて、ライブコンテンツを視聴者端末３００に配信する。また、サーバ装置１００は、コンテンツの進行を管理し、配信者端末２００と視聴者端末３００にライブコンテンツの進行状況に応じた情報を送信する。
【００１８】
配信者端末２００は、パーソナルコンピュータ、タブレット端末、スマートフォン等の通信機能を有する装置である。配信者端末２００は、ライブコンテンツを配信する配信者によって使用される。
【００１９】
視聴者端末３００は、パーソナルコンピュータ、タブレット端末、スマートフォン等の通信機能を有する装置である。視聴者端末３００は、ライブコンテンツを視聴する視聴者によって使用される。
【００２０】
なお、サーバ装置１００に複数の配信者端末２００と複数の視聴者端末３００が接続されている場合、サーバ装置１００は、複数の配信者端末２００のそれぞれに対応する視聴者端末３００にライブコンテンツを配信する。対応する視聴者端末３００とは、その配信者端末２００を使用する配信者のライブコンテンツを視聴する視聴者によって使用される視聴者端末３００である。
【００２１】
＜サーバ装置の構成＞
以下、サーバ装置１００の構成を詳細に説明する。図２に示すように、サーバ装置１００は、他の装置と通信を行う通信部１１０と、各種データを記憶する記憶部１２０と、時刻を計時する計時部１３０と、装置全体の制御を行う制御部１４０とを備える。これらの構成要素は、バスラインＢＬによって相互に接続される。
【００２２】
通信部１１０は、有線通信又は無線通信を行うためのＮＩＣ（Network Interface Card controller）を備える通信インターフェースである。通信部１１０は、ネットワークＮＷを介して、配信者端末２００及び視聴者端末３００と通信を行う。
【００２３】
記憶部１２０は、ＲＡＭ（Random Access Memory）、ＲＯＭ（Read Only Memory）等から構成される。記憶部１２０は、各種制御処理を実行するためのプログラム、各種データ等を記憶する。
【００２４】
ここで、記憶部１２０が記憶する各種データについて説明する。まず、記憶部１２０は、配信者端末２００及び視聴者端末３００を識別するためのユーザＩＤやパスワード等の認証情報、複数のユーザＩＤをグループ化したグループ情報等を記憶する。また、記憶部１２０は、コンテンツの内容を時系列で示す予定表を記憶する。なお、本実施形態では、それぞれ内容が異なる３つの予定表（予定表Ａ、予定表Ｂ、予定表Ｃ）が記憶されているものとする。
【００２５】
図３は、予定表の内容の一例として予定表Ａの内容を示している。この図では、下向き矢印で示す経過時間に沿って、予定されているコンテンツが配置されている。具体的には、予定表Ａは、開始時点（0：00）から２分間はオープニングであり、オープニング後の３分間は内容説明であることを示している。また、予定表Ａは、開始時点から１時間２８分経過時に終了することを示している。なお、予定表Ｂ及び予定表Ｃは、コンテンツの順序、時間、内容等のいずれか一つ以上が予定表Ａとは異なる。
【００２６】
記憶部１２０は、予め定められたアンケートを記憶する。予め定められたアンケートは、視聴者に対するアンケートであり、例えば、サービス提供事業者又は配信者によって設定される。このアンケートは、予定表におけるアンケート実施時間に自動的に収集される。例えば、予定表Ａでは、15:00から18：00の時間帯にアンケートが収集される。
【００２７】
記憶部１２０は、実績情報を示すテーブルを記憶する。実績情報は、複数の予定表のそれぞれの利用実績を示す情報である。具体的には、実績情報は、予定表が利用された回数と、予定表を利用して作成されたコンテンツ名と、予定表を利用した配信者名とのいずれか一つ以上を含む。
【００２８】
図４は、実績情報を示すテーブルの一例を示している。このテーブルでは、例えば
予定表Ａの実績情報として、予定表Ａが利用された回数である使用回数Ａと、予定表Ａを利用して作成されたコンテンツ名のリストであるコンテンツリストＡと、予定表Ａを利用した配信者名のリストである配信者リストＡとが関連づけられて格納されている。このテーブルでは、他の予定表Ｂ、Ｃも予定表Ａと同様に、それぞれ使用回数Ｂ、Ｃ、コンテンツリストＢ、Ｃ、配信者リストＢ、Ｃが実績情報として関連付けられて格納されている。実績情報は、配信者端末２００又は視聴者端末３００からの閲覧指示に応じて通信部１１０を介して配信される。
【００２９】
ここで、図２に戻って説明する。計時部１３０は、クロック信号を生成するための発振回路及び可変ＰＬＬ（Phase Locked Loop）、クロック信号のパルス数をカウントするカウンタ回路等から構成される。計時部１３０はカウントされるパルス数に基づいて時刻を計時する。なお、制御部１４０は、計時部１３０がカウントするパルス数に基づいたタイミングで各種制御を実行する。また、制御部１４０は、計時部１３０が計時する時刻に基づいて、コンテンツの開始時点からの経過時間をカウントしたり、予め定められた時間を経過したか否かを判別したりする。
【００３０】
制御部１４０は、ＣＰＵ（Central Processing Unit）等から構成される。制御部１４０は、記憶部１２０に記憶されているプログラムを実行することにより、サーバ装置１００の全体の動作を制御する。
【００３１】
以下、制御部１４０の機能的な構成を説明する。制御部１４０は、コンテンツ配信部１４１、予定表取得部１４２、アンケート収集部１４３、進行管理部１４４として機能する。
【００３２】
コンテンツ配信部１４１は、通信部１１０を介して配信者端末２００からライブコンテンツを構成する配信データを受信する。配信データは、撮像データ、音声データ等を含むデータである。また、コンテンツ配信部１４１は、受信した撮像データ、音声データ等に基づいて生成されるライブコンテンツを、通信部１１０を介して視聴者端末３００へ配信する。
【００３３】
予定表取得部１４２は、配信者端末２００又は視聴者端末３００に入力された指示に応じて作成された予定表を取得する。例えば、予定表取得部１４２は、配信者端末２００又は視聴者端末３００が作成した予定表を、通信部１１０を介して受信する。なお、予定表取得部１４２は、配信者端末２００又は視聴者端末３００に入力された指示を、通信部１１０を介して受信し、予定表を作成することによって予定表を取得してもよい。これにより、予定表取得部１４２は、複数の予定表を取得する。予定表取得部１４２が取得した予定表は記憶部１２０に記憶される。
【００３４】
アンケート収集部１４３は、記憶部１２０に記憶されている予め定められたアンケートの収集を行う。具体的には、アンケート収集部１４３は、通信部１１０を制御して、視聴者端末３００にアンケートを示すデータを送信し、視聴者端末３００からそのアンケートに対する回答を示すデータを受信する。アンケートの収集は、配信者端末２００からの指示に応じて実行されてもよいし、予定表に基づくタイミングで自動的に実行されてもよい。
【００３５】
進行管理部１４４は、記憶部１２０に記憶されている複数の予定表（予定表Ａ、Ｂ、Ｃ）のうち、配信者によって選択されたいずれか一つの予定表（例えば予定表Ａ）に基づいて、ライブコンテンツの進行を管理する。進行管理部１４４は、選択された予定表（例えば予定表Ａ）に基づいて、ライブコンテンツの進行状況に応じた情報を、通信部１１０を介して配信者端末２００及び視聴者端末３００に送信する。
【００３６】
ライブコンテンツの進行状況に応じた情報は、コンテンツの切り替わりタイミングと次のコンテンツの内容とを示す切替情報を含む。切替情報は、ライブコンテンツが開始してからの経過時間が予定表に定められたコンテンツの切り替わり時間の所定時間前に達した場合に送信される。
【００３７】
また、ライブコンテンツの進行状況に応じた情報は、選択された予定表に対するライブコンテンツの進行状況を示す進捗情報を含む。進捗情報は、例えば数秒間隔で定期的に送信される。
【００３８】
また、進行管理部１４４は、ライブコンテンツが開始してからの経過時間が予定表に定められたアンケート収集の時間に達した場合に、アンケート収集部１４３にアンケート収集を実行させる。
【００３９】
＜配信者端末の構成＞
以下、配信者端末２００の構成を詳細に説明する。図５に示すように、配信者端末２００は、他の装置と通信を行う通信部２１０と、ユーザの操作を受け付ける操作部２２０と、各種データを記憶する記憶部２３０と、各種画像を表示する表示部２４０と、音声を出力する音声出力部２５０と、音声入力を受け付ける音声入力部２６０と、撮像を行う撮像部２７０と、装置全体の制御を行う制御部２８０と、を備える。これらの構成要素は、バスラインＢＬによって相互に接続される。
【００４０】
通信部２１０は、有線通信又は無線通信を行うためのＮＩＣを備える通信インターフェースである。通信部２１０は、ネットワークＮＷを介して、サーバ装置１００と通信を行う。
【００４１】
操作部２２０は、操作ボタン、キーボード、ポインティングデバイス等から構成され、ユーザが指示を入力するために用いられるインターフェースである。
【００４２】
記憶部２３０は、ＲＡＭ、ＲＯＭ等から構成される。記憶部２３０は、各種制御処理を実行するためのプログラム、入力データ等を記憶する。
【００４３】
表示部２４０は、例えば、ＬＣＤ、ＥＬディスプレイ等によって構成される。表示部２４０は、制御部２８０からの入力データに応じてテキスト、画像等を表示する。
【００４４】
音声出力部２５０は、スピーカー、アンプ等から構成される。音声出力部２５０は制御部２８０からの入力データに応じて音声を出力する。
【００４５】
音声入力部２６０は、マイクロフォン等から構成される。音声入力部２６０は外部から入力された音声を音声信号として受け付ける。
【００４６】
撮像部２７０は、レンズ、イメージセンサ、集積回路等を備えるカメラである。撮像部２７０は、外部を撮像して撮像データを取得する。撮像データは静止画データであってもよいが、通常は動画データである。
【００４７】
制御部２８０は、ＣＰＵ等から構成される。制御部２８０は、記憶部２３０に記憶されているプログラムを実行することにより、配信者端末２００の全体の動作を制御する。
【００４８】
以下、制御部２８０の機能的な構成を説明する。制御部２８０は、配信データ送信部２８１、指示送信部２８２、情報取得部２８３、表示制御部２８４、音声出力制御部２８５として機能する。
【００４９】
配信データ送信部２８１は、通信部２１０を介してサーバ装置１００に配信データを送信する。例えば、配信データ送信部２８１は、音声入力部２６０において取得した音声データと撮像部２７０において取得した撮像データとを配信データとしてサーバ装置１００に送信する。
【００５０】
指示送信部２８２は、操作部２２０を介して受け付けたユーザの指示を、通信部２１０を介してサーバ装置１００に送信する。例えば、ユーザの指示は、アンケートの実行指示、予定表の選択指示、配信開始指示、配信終了指示等である。
【００５１】
情報取得部２８３は、通信部２１０を介して、サーバ装置１００からライブコンテンツの進行状況に応じた情報を取得する。
【００５２】
表示制御部２８４は、表示部２４０を制御して、テキスト、画像等を表示する。例えば、表示制御部２８４は、情報取得部２８３が取得したライブコンテンツの進行状況に応じた情報を表示する。また、表示制御部２８４は、撮像部２７０によって撮像されている映像を表示する。
【００５３】
図６は、配信者端末２００に表示される画面の一例を示している。この画面では、左上の領域Ａ１は、撮像部２７０によって撮像されている映像を示している。左下の領域Ａ２は、切替情報を示し、右の領域Ａ３は、進捗情報を示している。
【００５４】
領域Ａ３の進捗情報は、選択された予定表（予定表Ａ）に対するライブコンテンツの進行状況を示しており、ラインＬは、現在位置を示している。この例では、ラインＬがアンケートの直前位置にあるために、領域Ａ２において、次のコンテンツがアンケートであることと、９秒後にコンテンツが切り替わるという、切り替わりタイミングのカウントダウンが表示されている。なお、表示制御部２８４は、アンケート時間になると、視聴者に対する予め定められたアンケートの収集画面を表示する。
【００５５】
このような表示を見ることにより、配信者はコンテンツの進行状況を管理することができる。なお、各種情報は、図６では、領域Ａ１、Ａ２、Ａ３に分けられて表示されているが、重畳して一つの領域に表示されてもよい。
【００５６】
音声出力制御部２８５は、音声出力部２５０を制御して、音声を出力する。また、音声出力制御部２８５は、情報取得部２８３が取得したライブコンテンツの進行状況に応じた情報に基づいて、所定の通知音、切替音等を出力する。所定の通知音は、例えば、コンテンツの切り替わりタイミング、アンケートの実行等を配信者に通知するための音声である。
【００５７】
＜視聴者端末の構成＞
以下、視聴者端末３００の構成を詳細に説明する。図７に示すように、視聴者端末３００は、他の装置と通信を行う通信部３１０と、ユーザの入力操作を受け付ける操作部３２０と、各種データを記憶する記憶部３３０と、各種画像を表示する表示部３４０と、音声を出力する音声出力部３５０と、装置全体の制御を行う制御部３６０と、を備える。これらの構成要素は、バスラインＢＬによって相互に接続される。
【００５８】
通信部３１０は、有線通信又は無線通信を行うためのＮＩＣを備える通信インターフェースである。通信部３１０は、ネットワークＮＷを介して、サーバ装置１００と通信を行う。
【００５９】
操作部３２０は、操作ボタン、キーボード、ポインティングデバイス等から構成され、ユーザが指示を入力するために用いられるインターフェースである。
【００６０】
記憶部３３０は、ＲＡＭ、ＲＯＭ等から構成される。記憶部３３０は、各種制御処理を実行するためのプログラム、入力データ等を記憶する。
【００６１】
表示部３４０は、例えば、ＬＣＤ、ＥＬディスプレイ等によって構成される。表示部３４０は、制御部３６０からの入力データに応じてテキスト、画像等を表示する。
【００６２】
音声出力部３５０は、スピーカー、アンプ等から構成される。音声出力部３５０は制御部３６０からの入力データに応じて音声を出力する。
【００６３】
制御部３６０は、ＣＰＵ等から構成される。制御部３６０は、記憶部３３０に記憶されているプログラムを実行することにより、視聴者端末３００の全体の動作を制御する。
【００６４】
以下、制御部３６０の機能的な構成を説明する。制御部３６０は、コンテンツ取得部３６１、指示送信部３６２、情報取得部３６３、表示制御部３６４、音声出力制御部３６５として機能する。
【００６５】
コンテンツ取得部３６１は、サーバ装置１００から配信されるライブコンテンツのデータを、通信部３１０を介して受信し、コンテンツデータを取得する。
【００６６】
指示送信部３６２は、操作部３２０を介して受け付けたユーザの指示を、通信部３１０を介してサーバ装置１００に送信する。例えば、ユーザの指示は、アンケートに対する回答、ライブコンテンツの視聴開始指示、視聴終了指示等である。
【００６７】
情報取得部３６３は、通信部３１０を介して、サーバ装置１００からライブコンテンツの進行状況に応じた情報を取得する。
【００６８】
表示制御部３６４は、表示部３４０を制御して、テキスト、画像等を表示する。例えば、表示制御部３６４は、情報取得部３６３が取得したライブコンテンツの進行状況に応じた情報を表示する。
【００６９】
具体的には、表示制御部３６４は、ライブコンテンツの進行中において予定表に基づくタイミングで、コンテンツの切り替わりタイミングと次のコンテンツの内容とを示す切替情報を表示する。表示制御部３６４は、ライブコンテンツの進行中において予定表に基づくタイミングで、予め定められたアンケートの受付画面を表示する。また、表示制御部３６４は、ライブコンテンツの映像を表示する。
【００７０】
音声出力制御部３６５は、音声出力部３５０を制御して、音声を出力する。例えば、音声出力制御部３６５は、情報取得部３６３が取得したライブコンテンツの進行状況に応じた情報に基づいて、所定の通知音、切替音等を出力する。所定の通知音、切替音等は、例えば、コンテンツの切り替わりタイミング、アンケートの受付状態等を視聴者に通知するための音声である。また、音声出力制御部３６５は、ライブコンテンツの音声を出力する。
【００７１】
＜処理の流れ＞
以下、図８を参照しながら、サーバ装置１００が実行する制御処理の一例を説明する。この処理は、配信者端末２００がサーバ装置１００にログインして、サーバ装置１００がサービスを開始したことを契機に実行される。
【００７２】
まず、制御部１４０の予定表取得部１４２は、予定表を取得して記憶部１２０に記憶させる（ステップＳ１０１）。この際、制御部１４０の予定表取得部１４２は、配信者端末２００から受信した指示に応じて制御部１４０の予定表取得部１４２が予定表を作成してもよいし、配信者端末２００から通信部１１０を介して予定表を受信してもよい。その結果、記憶部１２０は、複数の予定表を記憶する。なお、配信者が、既に記憶部１２０に記憶されている予定表を使用する場合、ステップＳ１０１はスキップされてもよい。
【００７３】
次に、制御部１４０は、配信者端末２００から予定表の選択指示を受け付ける（ステップＳ１０２）。例えば、配信者が予定表Ａ、Ｂ、Ｃのうち予定表Ａを選択した場合、予定表Ａが以降のコンテンツの進行管理に利用される。なお、予定表が選択されると、制御部１４０は、記憶部１２０に記憶されている実績情報において、選択された予定表の使用回数をインクリメントする。また、制御部１４０は、記憶部１２０に、配信者端末２００の配信者名とライブコンテンツのコンテンツ名とを記憶させる。なお、制御部１４０は、配信者が予定表を選択する際に配信者端末２００に実績情報を送信して、配信者端末２００に実績情報を表示させてもよい。
【００７４】
次に、制御部１４０は、通信部１１０を介して、配信者端末２００から配信開始指示を受け付ける（ステップＳ１０３）。配信開始指示を受け付けると、制御部１４０は、ライブコンテンツの配信処理を実行する（ステップＳ１０４）。
【００７５】
ライブコンテンツの配信処理は、ライブコンテンツの配信とライブコンテンツの進行の管理とを平行して行う処理である。具体的には、制御部１４０のコンテンツ配信部１４１は、配信者端末２００からの受信データに基づいて生成したライブコンテンツを視聴者端末３００に配信する。制御部１４０の進行管理部１４４は、ライブコンテンツの進行状況に応じた情報を配信者端末２００及び視聴者端末３００に配信する。配信者端末２００及び視聴者端末３００は、受信したライブコンテンツの進行状況に応じた情報を表示し、所定の通知音、切替音等を出力する。
【００７６】
なお、ライブコンテンツの配信処理において、アンケートを収集するタイミングになると、制御部１４０のアンケート収集部１４３は、予め定められたアンケートの収集を実行する。アンケートを収集するタイミングは、配信者端末２００からアンケートの実行指示を受け付けたタイミング、又は予定表に定められているアンケート時間に基づくタイミングである。
【００７７】
ライブコンテンツの配信処理は、配信開始時点からの経過時間が予定表に定められている配信終了時間に達した場合、又は配信者端末２００から配信終了指示を受信した場合に終了する。
【００７８】
＜効果の説明＞
以上説明したように、本実施形態に係るコンテンツ進行管理システム１によれば、サーバ装置１００は、ライブコンテンツの進行状況に応じた情報を配信者端末２００に配信する。配信者端末２００は、ライブコンテンツを配信している間に、ライブコンテンツの進行状況に応じた情報を表示し、所定の通知音、切替音等を出力する。そのため、配信者端末２００を使用する配信者は、次に何をしたらよいかを把握することが可能となり、適切にライブコンテンツの進行を管理することができる。また、配信者端末２００を使用する配信者は、予定を気にせず、ライブコンテンツの配信に集中することができる。
【００７９】
コンテンツ進行管理システム１において、サーバ装置１００は、ライブコンテンツの進行状況に応じた情報を視聴者端末３００に配信し、視聴者端末３００はそれを表示し、所定の通知音、切替音等を出力する。そのため、視聴者は、ライブコンテンツの重要な場面を見逃すことなく視聴することができる。
【００８０】
また、配信者は、予定表を選択する際に、配信者端末２００に表示された実績情報を参照することができる。そのため、配信者は、人気のある予定表や有名配信者が使用している予定表を選択して利用することができる。
【００８１】
（第２実施形態）
本実施形態では、第１実施形態に係るコンテンツ進行管理システム１に機能を追加したコンテンツ進行管理システム２について説明する。コンテンツ進行管理システム２は、視聴者からの要望に応じて、予定表を変更する点でコンテンツ進行管理システム１と異なる。なお、以下の説明において、第１実施形態に係るコンテンツ進行管理システム１と共通する構成要素については同一の符号を付する。
【００８２】
図９に示すように、本実施形態に係るコンテンツ進行管理システム２は、サーバ装置４００と、一台以上の配信者端末２００と、一台以上の視聴者端末５００とを備える。サーバ装置４００と、配信者端末２００と、視聴者端末５００とは、それぞれネットワークＮＷを介して通信可能に接続される。
【００８３】
図１０に示すように、サーバ装置４００は、制御部４４０が変更要求受付部４４５を備えている点で第１実施形態のサーバ装置１００と異なる。変更要求受付部４４５は、ライブコンテンツの進行中（すなわち図８のステップＳ１０４）において、視聴者端末５００から変更要求を受け付ける。変更要求受付部４４５は、視聴者端末５００から収集した変更要求に基づいて、予定表の以後の部分を変更する。
【００８４】
図１１に示すように、視聴者端末５００は、制御部５６０が変更要求送信部５６６を備えている点で第１実施形態の視聴者端末１００と異なる。変更要求送信部５６６は、視聴者から操作部３２０を介して変更要求指示を受け付けて、通信部３１０を介して変更要求サーバ装置４００に送信する。
【００８５】
ここで、図１２及び図１３を参照しながら、予定表の変更例を説明する。図１２は、予定表の内容の変更例を示している。この例では、予定表Ａが選択され、ライブコンテンツがフリートークである時間において視聴者から変更要求を受け付けることを示している。変更要求を受け付ける時間帯は、配信者が予定表Ａにおいて予め設定する。
【００８６】
図１３は、視聴者端末５００に表示される画面の一例を示している。この画面において、左上の領域Ａ４は、ライブコンテンツの配信映像を示している。左下の領域Ａ５は、切替情報を示し、右の領域Ａ６は、進捗情報を示している。領域Ａ４には、ライブコンテンツの配信映像に重畳して、変更要求指示を受け付ける受付画面が表示されている。この例では、ラインＬが示すように、アンケート時間の前のフリートークの時間において、変更要求指示を受け付ける受付画面が表示される。
【００８７】
この例では、アンケートより先にゲームをした方がよいかどうかを視聴者に質問するため、「ゲームやる？」という質問メッセージが表示されている。また、その質問に対して、ゲームをやるかどうかを選択する２つの選択肢ボタンが表示されている。視聴者は、クリック又はタップによって、これらのいずれかを選択することができる。視聴者端末５００の変更要求送信部５６６は、この選択操作を受け付けて、受け付けた指示を変更要求指示としてサーバ装置４００に送信する。
【００８８】
サーバ装置４００の変更要求受付部４４５は、視聴者端末５００から収集した変更要求に基づいて、予定表の以降の部分を変更するか否かを判別する。例えば、「やる」を選択した視聴者が「やらない」を選択した視聴者より多かった場合に、サーバ装置４００の変更要求受付部４４５は、予定表の以降の部分を変更する。この場合、図１２において、予定表Ａの以降の部分は、変更案に変更される。一方、「やる」を選択した視聴者が「やらない」を選択した視聴者より少なかった場合に、サーバ装置４００の変更要求受付部４４５は、予定表の以降の部分を変更せず、予定表Ａを継続して使用する。
【００８９】
なお、予定表の以降の部分を変更するか否かは、上記のように多数決によって判別するのではなく、少数決によって判別してもよい。また、上記の例では、変更要求受付部４４５は、アンケートと同様に視聴者に選択肢を選択させて、それを変更要求として収集している。しかし、変更要求の受付方法は、これに限られない。
【００９０】
例えば、視聴者端末５００の変更要求送信部５６６は、ライブコンテンツの配信中において常に変更要求を受け付けるボタンを表示させてもよい。サーバ装置４００の変更要求受付部４４５は、ライブコンテンツの配信中に受け付けた変更要求が所定数に達した場合に、予定表の以降の部分を変更してもよい。
【００９１】
上記の例では、変更要求受付部４４５は、予め定められた変更案に切り替えるか否かを決定するための変更要求を受け付けている。しかし、これに限られない。例えば、変更要求受付部４４５は、変更案を視聴者端末５００から受信したり、視聴者に変更後のコンテンツの種類を選択させたりしてもよい。
【００９２】
以上説明したように、本実施形態に係るコンテンツ進行管理システム２によれば、視聴者からの要求に応じて予定表の以降の部分が変更される。そのため、配信者は、ライブコンテンツを視聴者の要求に近い内容にすることが可能となる。
【００９３】
以上で実施形態の説明を終了するが、上記実施形態は一例に過ぎない。そのため、コンテンツ進行管理システム１、２の具体的な構成、処理の内容等は上記実施形態で説明したものに限られない。以下、上記実施形態の変形例について説明する。
【００９４】
（変形例）
上記実施形態では、サーバ装置１００、４００の進行管理部１４４が、予定表に基づいて、ライブコンテンツの進行状況に応じた情報を配信者端末２００に送信し、配信者端末２００がそれを表示している。しかし、これに限られない。
【００９５】
例えば、配信者端末２００の記憶部２３０がライブコンテンツの進行状況に応じた情報を表示するためのプログラムを予め記憶し、配信者端末２００が計時部１３０を備えていてもよい。配信者端末２００は、サーバ装置１００、４００から予定表を受信して、その予定表と記憶部２３０のプログラムとに基づいてライブコンテンツの進行状況に応じた情報を表示してもよい。この場合、サーバ装置１００、４００の進行管理部１４４は不要である。視聴者端末３００、５００においても同様に、計時部１３０を備え、予め記憶しているプログラムを実行して、サーバ装置１００、４００から受信した予定表に基づいてライブコンテンツの進行状況に応じた情報を表示してもよい。
【００９６】
このように、配信者端末２００及び視聴者端末３００、５００がライブコンテンツの進行状況に応じた情報を表示すればよく、その実行主体は、サーバ装置１００、４００であってもよいし、配信者端末２００及び視聴者端末３００、５００であってもよいし、これらの両方であってもよい。
【００９７】
上記実施形態において、配信者が作成した予定表は、サーバ装置１００、４００に記憶され、他の配信者と共有して利用されてもよい。視聴者によって変更された予定表もサーバ装置１００、４００に記憶され、配信者や視聴者によって共有されてもよい。サーバ装置１００、４００が記憶している予定表又は変更要求に基づいて変更された予定表は、サーバ装置１００、４００から他の配信者端末２００又は他の視聴者端末３００、５００に配信され、他の配信者又は視聴者に利用可能に提供されてもよい。
【００９８】
上記実施形態では、サーバ装置１００、４００は、ライブコンテンツの進行状況に応じた情報を配信者端末２００及び視聴者端末３００、５００に配信している。しかし、サーバ装置１００、４００は、ライブコンテンツの進行状況に応じた情報を配信者端末２００及び視聴者端末３００、５００のいずれか一方だけに配信してもよい。
【００９９】
上記実施形態では、サーバ装置１００、４００は、ライブコンテンツを配信するための構成とライブコンテンツの進行状況に応じた情報を配信するための構成とを備えている。しかし、これらの構成は別々のサーバ装置に割り当てられてもよい。例えば、ライブコンテンツの進行状況を管理する第１のサーバ装置と、ライブコンテンツを配信する第２のサーバ装置とが協働して、上記実施形態のコンテンツ進行管理システム１、２と同じ処理を実現してもよい。
【０１００】
上記実施形態に係るコンテンツ進行管理システム１、２では、配信者端末２００と視聴者端末３００、５００とを異なる構成とし、両者を区別可能にしている。しかし、配信者端末２００の構成と視聴者端末３００、５００の構成を組み合わせて、これらの装置を配信者端末としても視聴者端末としても機能する構成としてもよい。
【０１０１】
上記実施形態に係るコンテンツ進行管理システム１、２は、事前にライブコンテンツの配信時刻を予約可能に構成されてもよい。例えば、サーバ装置１００、４００の制御部１４０、４４０は、配信者端末２００から予定表の選択指示を受け付けるとともに、配信予定時刻の設定を受け付けてもよい。その際、制御部１４０、４４０は、配信者端末２００の配信者名及びライブコンテンツのコンテンツ名と設定された配信予定時刻とを関連付けて記憶部１２０に記憶させてもよい。
【０１０２】
これにより、サーバ装置１００、４００は多数の配信者の予定表を集計することができ、当日の時間帯ごとの通信量を制御することができる。例えば、集計の結果、ある時間帯にアンケートを行う配信者が多くいる場合、当該時間帯において、サーバ装置１００、４００は多数の視聴者からのアンケートの回答を収集するため、通信量の増加が予測される。このような予測に基づいて、サーバ装置１００、４００は時間帯ごとの通信量を事前に算出し、通信環境を時間帯ごとに変更してもよい。この場合、サーバ装置１００、４００は通信量に応じた円滑な映像配信を行うことができる。
【０１０３】
また、サーバ装置１００、４００は、上記集計の結果に基づいて、時間帯ごとの通信量を安定化することを目的とした推薦予定表を作成して、配信者端末２００に提供する機能としてもよい。これにより、配信者に配信予定時刻の分散化を促すことができる。
【０１０４】
また、本開示に係るコンテンツ進行管理システムは、上記装置によらず、例えば、コンピュータがプログラムを実行することで、その機能を実現してもよい。モニタリングシステムの機能を実現するためのプログラムは、ＵＳＢ（Universal Serial Bus）メモリ、ＣＤ−ＲＯＭ（Compact Disc−Read Only Memory）、ＤＶＤ（Digital Versatile Disc）、ＨＤＤ（Hard Disc Drive）等のコンピュータ読み取り可能な記録媒体に記憶されてもよいし、ネットワークを介してコンピュータにダウンロードされてもよい。
【０１０５】
以上、本開示の好ましい実施形態について説明したが、本開示は係る特定の実施形態に限定されるものではなく、本開示には、特許請求の範囲に記載された発明とその均等の範囲が含まれる。また、上記実施形態及び変形例で説明した装置の構成は、技術的な矛盾が生じない限り、適宜組み合わせ可能である。
【符号の説明】
【０１０６】
１，２…コンテンツ進行管理システム、１００，４００…サーバ装置、２００…配信者端末、３００，５００…視聴者端末、１１０，２１０，３１０…通信部、１２０，２３０，３３０…記憶部、１３０…計時部、２４０，３４０…表示部、２５０，３５０…音声出力部、２６０…音声入力部、１４０，２８０，３６０，４４０，５６０…制御部、１４１…コンテンツ配信部、１４２…予定表取得部、１４３…アンケート収集部、１４４…進行管理部、２８１…配信データ送信部、２８２，３６２…指示送信部、２８３，３６３…情報取得部、２８４，３６４…表示制御部、２８５，３６５…音声出力制御部、３６１…コンテンツ取得部、４４５…変更要求受付部、５６６…変更要求送信部
【図１】
2019047483.tif 000003
【図２】
2019047483.tif 000004
【図３】
2019047483.tif 000005
【図４】
2019047483.tif 000006
【図５】
2019047483.tif 000007
【図６】
2019047483.tif 000008
【図７】
2019047483.tif 000009
【図８】
2019047483.tif 000010
【図９】
2019047483.tif 000011
【図１０】
2019047483.tif 000012
【図１１】
2019047483.tif 000013
【図１２】
2019047483.tif 000014
【図１３】
2019047483.tif 000015